(57)【要約】【課題】回転するフィルタとこのフィルタを支持するケーシングとの接触部分からの異物の侵入を好適に防ぎ、性能を向上させられるバラスト水処理装置を提供すること。【解決手段】バラスト水処理装置１は、ケーシング１０と、ケーシング１０の内部に配置される筒状のフィルタ２０と、ケーシング１０の一部を構成すると共にフィルタ２０の端部においてフィルタ２０を回転可能に支持する支持軸部と、一端側が支持軸部に接続されると共に他端側がケーシング１０に接続され、フィルタ２０の二次側の空間と支持軸部とフィルタとの接触部分とを連通させるラインＬ３と、ラインＬ３に配置されケーシング１０の内部の水を接触部分に供給するポンプ３９と、を備える。【選択図】図１
2018176048.tif 000002
【特許請求の範囲】
【請求項１】
ケーシングと、
前記ケーシングの内部に配置される筒状のフィルタと、
前記ケーシングの一部を構成すると共に前記フィルタの端部において該フィルタを回転可能に支持する支持軸部と、
一端側が前記支持軸部に接続されると共に他端側が前記ケーシングに接続され、前記フィルタの二次側の空間と前記支持軸部と前記フィルタとの接触部分とを連通させるラインと、
前記ラインに配置されケーシングの内部の水を前記接触部分に供給するポンプと、を備えるバラスト水処理装置。
【請求項２】
前記支持軸部と前記フィルタとの接触部分に、全周に亘って連続して形成される連続空間部を更に備え、
前記ラインは、前記フィルタの二次側の空間と前記連続空間部とを連通させる請求項１に記載のバラスト水処理装置。
【請求項３】
前記ポンプは、前記接触部分に供給される水の圧力が前記フィルタの一次側の水の圧力よりも高くなる出力で駆動される請求項１又は２に記載のバラスト水処理装置。
【請求項４】
前記ポンプは、エア駆動式ポンプにより構成される請求項１〜３のいずれかに記載のバラスト水処理装置。
【請求項５】
前記接触部分に配置されるシール部材を更に備え、
前記ラインは、前記フィルタの二次側の空間と、前記接触部分における前記シール部材が配置された領域よりも前記支持軸部の軸方向における端部側とを連通させる請求項１〜４のいずれかに記載のバラスト水処理装置。
【請求項６】
前記シール部材は、前記ラインの前記接触部分への連通部分を挟んで両側に配置される請求項５に記載のバラスト水処理装置。
【請求項７】
前記シール部材は、
円環状に形成されると共に、径方向の断面形状において、一方の端面側が開口した中空部を有するＵ字形状に形成された本体部と、
前記中空部に配置され前記本体部を外側に広がる方向に付勢する弾性部材と、を備える請求項５又は６に記載のバラスト水処理装置。
【発明の詳細な説明】
【技術分野】
【０００１】
本発明は、筒状のフィルタを有するバラスト水処理装置に関する。
【背景技術】
【０００２】
従来、タンカー等の船舶において、積み荷の原油等を降ろした後、再度目的地に向けて航行する際、航行中の船舶のバランスを取るため、船舶に設けられたバラストタンク内にバラスト水と呼ばれる水を貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。
【０００３】
バラスト水の中に含まれる微生物、砂、ゴミ等の異物を除去するために、バラスト水を濾過するフィルタを備えるバラスト水処理装置が用いられている。バラスト水処理装置に用いられるフィルタとしては、例えば、周面に多数の穴が形成された円筒状の濾過体が用いられる。バラスト水処理装置では、フィルタの目詰まりが激しいため、恒常的なフィルタの洗浄が重要とされている。
【０００４】
例えば、特許文献１には、ケーシングと、このケーシングの内部に配置される円筒状のフィルタと、を備え、フィルタを回転させることでフィルタの表面に付着した異物を除去できるバラスト水処理装置が提案されている。
【先行技術文献】
【特許文献】
【０００５】
【特許文献１】特開２０１４−２２７０６３号公報公報
【発明の概要】
【発明が解決しようとする課題】
【０００６】
ところで、バラスト水処理装置においてフィルタを回転させる場合、回転するフィルタとこのフィルタを支持するケーシングとの接触部分には、軸受等が配置される。
ここで、バラスト水処理装置の運転中には、多量の水がケーシングの内部に導入され、フィルタにて濾過される。そして、ケーシングの内部に導入される水には、砂やゴミ、微生物等の異物が含まれているため、これらの異物がフィルタとケーシングとの接触部分に侵入した場合には、異物により接触部分が摩耗してしまう。フィルタとケーシングとの接触部分が摩耗してしまうと、この接触部分を通じてフィルタにて濾過される前の水がフィルタの二次側に流入してしまうため、バラスト水処理装置において水の濾過を好適に行えなくなってしまい、バラスト水処理装置の性能が低下してしまう。
【０００７】
従って、本発明は、回転するフィルタとこのフィルタを支持するケーシングとの接触部分からの異物の侵入を好適に防ぎ、性能を向上させられるバラスト水処理装置を提供することを目的とする。
【課題を解決するための手段】
【０００８】
本発明は、ケーシングと、前記ケーシングの内部に配置される筒状のフィルタと、前記ケーシングの一部を構成すると共に前記フィルタの端部において該フィルタを回転可能に支持する支持軸部と、一端側が前記支持軸部に接続されると共に他端側が前記ケーシングに接続され、前記フィルタの二次側の空間と前記支持軸部と前記フィルタとの接触部分とを連通させるラインと、前記ラインに配置されケーシングの内部の水を前記接触部分に供給するポンプと、を備えるバラスト水処理装置に関する。
【０００９】
また、バラスト水処理装置は、前記支持軸部と前記フィルタとの接触部分に、全周に亘って連続して形成される連続空間部を更に備え、前記ラインは、前記フィルタの二次側の空間と前記連続空間部とを連通させることが好ましい。
【００１０】
また、前記ポンプは、前記接触部分に供給される水の圧力が前記フィルタの一次側の水の圧力よりも高くなる出力で駆動されることが好ましい。
【００１１】
また、前記ポンプは、エア駆動式ポンプにより構成されることが好ましい。
【００１２】
また、バラスト水処理装置は、前記接触部分に配置されるシール部材を更に備え、前記ラインは、前記フィルタの二次側の空間と前記接触部分における前記シール部材が配置された領域よりも前記支持軸部の軸方向における端部側とを連通させることが好ましい。
【００１３】
また、前記シール部材は、前記接触部分における前記ラインと前記支持軸部の接続部を挟んで、前記支持軸部の軸方向の一端側及び他端側にそれぞれ配置されることが好ましい。
【００１４】
また、前記シール部材は、円環状に形成されると共に、径方向の断面形状において、一方の端面側が開口した中空部を有するＵ字形状に形成された本体部と、前記中空部に配置され前記本体部を外側に広がる方向に付勢する弾性部材と、を備えることが好ましい。
【発明の効果】
【００１５】
本発明のバラスト水処理装置によれば、回転するフィルタとこのフィルタを支持するケーシングとの接触部分からの異物の侵入を好適に防ぎ、性能を向上させられる。
【図面の簡単な説明】
【００１６】
【図１】本発明の一実施形態に係るバラスト水処理装置の構成を示す図である。
【図２】図１の部分拡大図である。
【図３】図２の部分拡大図である。
【発明を実施するための形態】
【００１７】
以下、本発明のバラスト水処理装置の好ましい一実施形態について、図面を参照しながら説明する。
本実施形態のバラスト水処理装置１は、海水等の水を汲み上げるラインと、汲み上げた水をバラスト水として貯留するバラストタンクと、を備える船舶に取り付けられ、汲み上げた水に含まれる異物を除去するために用いられる。このバラスト水処理装置１は、図１に示すように、ケーシング１０と、このケーシング１０の内部に配置されるフィルタ２０と、フィルタ回転手段３０と、ケーシング１０にバラスト水を導入する導入部１４と、フィルタ２０を逆洗する逆洗機構４０と、フィルタ２０に洗浄水を噴射する噴射ノズル５０と、ケーシング１０の内部に圧縮ガスを供給する圧縮ガス供給部６０と、を備える。
また、このバラスト水処理装置１には、ケーシング１０にバラスト水を導入する導入ラインＬ１と、洗浄水ラインＬ２と、フィルタ２０の二次側の空間とケーシング１０及びフィルタ２０の接触部分とを連通させるラインＬ３と、が接続される。
尚、本明細書において「ライン」とは、流路、経路、管路等の流体の流通が可能なラインの総称である。また、「ケーシング１０とフィルタ２０との接触部分」とは、回転するフィルタ２０と、ケーシング１０においてフィルタ２０を回転可能に支持する部分と、が接触又は近接して対向配置されている部分を示す。
【００１８】
ケーシング１０は、バラスト水を収容する。ケーシング１０は、上端部及び下端部が開口した円筒状の本体部１１と、本体部１１の上端部を密閉する上側蓋部１２と、本体部１１の下端部を密閉する下側蓋部１３と、を備える。
本体部１１の周面には、ケーシング１０に収容され、後述のフィルタ２０により濾過されたバラスト水が流出する流出口１１１が設けられる。
上側蓋部１２及び下側蓋部１３における本体部１１の中心軸に一致する位置には、それぞれ、後述のフィルタ回転手段３０が配置される貫通穴が形成される。
【００１９】
フィルタ２０は、上端部及び下端部が開口した円筒状のフィルタ本体２１と、フィルタ本体２１の上端部を密閉する上側閉止部２２と、フィルタ本体２１の下端部を密閉する下側閉止部２３と、を備える。
フィルタ２０（フィルタ本体２１）は、ケーシング１０より小さな円筒状に形成され、ケーシング１０と同軸となるように、ケーシング１０の内部に配置される。これにより、ケーシング１０とフィルタ２０との間には、フィルタ２０によりろ過されたバラスト水が流出する空間Ｓ１が形成される。
下側閉止部２３におけるフィルタ本体２１の中心軸に一致する位置には、フィルタ２０の内部にバラスト水導入するための貫通穴が形成される。
【００２０】
フィルタ回転手段３０は、ケーシング１０の内部に配置されたフィルタ２０を、中心軸を回転軸として回転させる。このフィルタ回転手段３０は、上部回転軸部材３１及び下部回転軸部材３２と、上部回転軸部材３１を回転させるモータ３３と、を含んで構成される。
上部回転軸部材３１は、フィルタ２０の上側閉止部２２におけるフィルタ２０の中心軸に対応する位置に、上向きに突出して固定される。下部回転軸部材３２は、フィルタ２０の下側閉止部２３におけるフィルタ２０の中心軸に対応する位置に、下向きに突出して固定される。即ち、上部回転軸部材３１及び下部回転軸部材３２は、それぞれ、フィルタ２０の端部を構成する。
【００２１】
上部回転軸部材３１は、ケーシング１０の上側蓋部１２に形成された貫通穴に配置され、すべり軸受３４を介して上側蓋部１２に回転自在に、かつ、液密に支持される。
下部回転軸部材３２は、ケーシング１０の下側蓋部１３に形成された貫通穴に配置され、すべり軸受３５を介して下側蓋部１３に回転自在に、かつ、液密に支持される。下部回転軸部材３２は、フィルタ２０の内部と連通する管状体となっている。そして、下部回転軸部材３２の上端部は、下側閉止部２３に形成された貫通穴に接続され、下端部は、ケーシング１０の下側蓋部１３に形成された貫通穴の内側に位置するように配置される。
【００２２】
ここで、すべり軸受３５を介したケーシング１０とフィルタ２０（下部回転軸部材３２）との接触部分の構造につき、図２及び図３も参照しながら説明する。
図１に示すように、下部回転軸部材３２は、下側蓋部１３の貫通穴の内側に配置される。そして、図２に示すように、下側蓋部１３と下部回転軸部材３２との接触部分には、支持軸部の一部を構成する支持軸部材１５と、すべり軸受３５と、第１シール部材３６と、第２シール部材３７と、が配置される。更に、この接触部分には、連続空間部３８が形成される。
【００２３】
支持軸部材１５は、筒状に形成され、ケーシング１０（下側蓋部１３）の貫通穴が形成された部分の上面側に配置される。支持軸部材１５は、下側蓋部１３にボルト等（図示せず）により固定されてケーシング１０と一体化される。即ち、支持軸部材１５は、ケーシング１０の一部を構成する。
【００２４】
すべり軸受３５は、筒状に形成され、支持軸部材１５の内周面に圧入されて支持軸部材１５に固定される。すべり軸受３５は、例えば、硬質の合成樹脂や合成樹脂と繊維との複合材料により筒状に成形される。
【００２５】
第１シール部材３６は、環状に形成され、下側蓋部１３の貫通穴の内側に配置される。より具体的には、第１シール部材３６は、ケーシング１０と下部回転軸部材３２との接触部分におけるすべり軸受３５よりも軸方向の端部側（下部側）に配置される。
本実施形態では、第１シール部材３６は、図２に示すように、下側蓋部１３と支持軸部材１５との境界部分における内周面側に形成された凹部に配置される。
【００２６】
第１シール部材３６は、図２及び図３に示すように、一方の端面側（図３では下面側）が開口した中空部を有する断面形状に形成される本体部３６１と、この本体部３６１の中空部に配置された弾性部材としてのバネ部材３６２と、を備える。
本体部３６１は、例えば、硬質の合成樹脂により形成される。バネ部材３６２は、例えば、断面がＵ字状となるように曲げられた金属製の板バネにより構成される。バネ部材３６２は、本体部３６１の側面を拡げる方向に付勢する。即ち、本実施形態の第１シール部材３６によれば、本体部３６１における貫通穴の内周面側に配置される側面３６１ａは、バネ部材３６２の付勢力により、下部回転軸部材３２側に押し付けられる。この側面３６１ａの下端部側は、下部回転軸部材３２から離間する側に傾斜した傾斜面となっている。
本実施形態では、図３に示すように、凹部に第１シール部材３６が配置された状態で、本体部３６１の下端部３６１ｂと凹部との間には、わずかに隙間Ｇが形成される。
【００２７】
第２シール部材３７は、硬質の樹脂部材により環状に形成され、下側蓋部１３の貫通穴の内側に配置される。より具体的には、第２シール部材３７は、ケーシング１０と下部回転軸部材３２との接触部分における第１シール部材３６よりも軸方向の端部側（下部側）に配置される。
【００２８】
本実施形態では、第２シール部材３７は、図２に示すように、下側蓋部１３の内周面側に形成された凹部に配置される。
第２シール部材３７は、図３に示すように、円環状の内周面に全周に亘って連続的に形成された複数の山部３７１及び谷部３７２を有する。第２シール部材３７の内周面に複数の山部３７１を形成することで、第２シール部材３７のシール性を確保しつつ、下部回転軸部材３２（フィルタ２０）との間に生じる摩擦力を低減できる。
【００２９】
連続空間部３８は、下側蓋部１３と下部回転軸部材３２との接触部分に、全周に亘って連続して形成される。本実施形態では、連続空間部３８は、下側蓋部１３の内周面に、内周面の全周に亘って形成された凹部により構成される。この連続空間部３８には、後述のラインＬ３が接続される。連続空間部３８及びラインＬ３の機能については後述する。
【００３０】
以上の構造によれば、下部回転軸部材３２の外周面は、すべり軸受３５、支持軸部材１５、第１シール部材３６、第２シール部材３７及び下側蓋部１３の内周面に対して回転可能に当接する。言い換えれば、本実施形態では、下部回転軸部材３２を回転可能に支持する支持軸部は、支持軸部材１５及び下側蓋部１３の一部により構成されている。
【００３１】
図１に戻り、導入部１４は、管状部材により形成され、一端部（上端部）が下部回転軸部材３２の下端側を覆うように、下側蓋部１３に接続される。導入部１４の他端部（下端部）は、後述の導入ラインＬ１に接続され、この導入ラインＬ１から供給されるバラスト水をケーシング１０の内部におけるフィルタ２０の一次側に導入する。
【００３２】
逆洗機構４０は、ノズル４１と、集合管４２と、排出管４３と、排出管４３に配置される開閉弁４４と、を備える。
【００３３】
ノズル４１は、フィルタ２０の一次側（内側）に配置され、先端側がフィルタ２０の一次側の面（内周面）に向かって開口する。本実施形態では、ノズル４１は、フィルタ２０の中心軸の延びる方向に垂直な方向に延びるように配置される。また、ノズル４１は、フィルタ２０の中心軸の延びる方向（上下方向）に所定の間隔をあけて複数本配置される。ノズル４１には、フィルタ２０の二次側から一次側に向かって流れるバラスト水及びこのバラスト水によりフィルタ２０の内周面から剥離された異物が流通する。
【００３４】
集合管４２は、フィルタ２０の中心軸に一致する位置に配置され、上端部が閉鎖し下端部が開口している。集合管４２の上端部は、フィルタ２０の上側閉止部２２の中央に設けられた孔に挿入されて支持されている。集合管４２には、ノズル４１を流通したバラスト水及び異物が集合して流通する。
【００３５】
排出管４３は、上端部が集合管４２の下端部に接続され、下部回転軸部材３２の内部を、フィルタ２０の回転を妨げないように下方に延びる。排出管４３の下端側は、屈曲して延びており、導入部１４の周面を貫通している。排出管４３は、集合管４２を流通したバラスト水及び異物を排出する。
開閉弁４４は、排出管４３における導入部１４の貫通部分よりも二次側に配置され、排出管４３を開閉する。
【００３６】
噴射ノズル５０は、フィルタ２０の二次側に配置され、先端部がフィルタ２０の二次側の面（外周面）に向かって開口する。本実施形態では、噴射ノズル５０は、フィルタ２０の中心軸の延びる方向（上下方向）に所定の間隔をあけて複数本配置される。噴射ノズル５０は、後述の洗浄水ラインＬ２に接続され、洗浄水ラインＬ２から供給される洗浄水をフィルタ２０の二次側の面に向かって噴射する。
【００３７】
圧縮ガス供給部６０は、コンプレッサ等の圧縮ガス供給源（図示せず）と、圧縮ガス供給ライン６１と、圧縮ガス供給弁６２と、を備える。圧縮ガス供給ライン６１は、ケーシング１０の上側蓋部１２に接続され、フィルタ２０とケーシング１０との間（ケーシング１０の内部におけるフィルタ２０の二次側）に圧縮ガスを供給する。
【００３８】
導入ラインＬ１は、ケーシング１０にバラスト水（海水）を導入する。導入ラインＬ１の先端部は、導入部１４に接続される。導入ラインＬ１には、ポンプ８１及び開閉弁８２が配置される。
【００３９】
洗浄水ラインＬ２は、先端側が噴射ノズル５０に接続され、噴射ノズル５０に洗浄水を供給する。洗浄水ラインＬ２の基端側は、洗浄水供給源（図示せず）に接続される。
【００４０】
ラインＬ３は、先端側（一端側）が支持軸部（下側蓋部１３）に接続されると共に基端側（他端側）がケーシング１０（本体部１１）に接続され、フィルタ２０の二次側の空間（フィルタ２０とケーシング１０との間の空間Ｓ）と支持軸部（下側蓋部１３）とフィルタ２０（下部回転軸部材３２）との接触部分とを連通させる。より具体的には、ラインＬ３の先端側は、下側蓋部１３に形成された連続空間部３８に接続され、ラインＬ３の基端側は、ケーシング１０の本体部１１の周面に取り付けられたソケット１１２を介して本体部１１に接続される。このラインＬ３には、ポンプ３９が配置される。
【００４１】
ポンプ３９は、フィルタ２０の二次側の空間に存在するバラスト水を昇圧して下側蓋部１３と下部回転軸部材３２との接触部分（本実施形態では、連続空間部３８）に供給する。本実施形態では、ポンプ３９はエア駆動ポンプにより構成される。また、ポンプ３９は、ラインＬ３を通じて接触部分に供給される水の圧力がフィルタ２０の一次側の水の圧力よりも高くなる出力で駆動される。
【００４２】
以上のバラスト水処理装置１によれば、バラスト水を濾過する場合には、導入ラインＬ１の開閉弁８２が開状態とされ、ポンプ８１が駆動される。また、フィルタ回転手段３０によりフィルタ２０が回転される。すると、導入ラインＬ１から導入部１４に供給されたバラスト水は、下部回転軸部材３２を通ってケーシング１０の内部におけるフィルタ２０の一次側（内側）に導入されてフィルタ２０により濾過処理され、流出口１１１から流出される。流出口１１１から流出したバラスト水は、バラストタンク（図示せず）に貯留される。
【００４３】
また、この状態においては、逆洗機構４０の開閉弁４４が開かれることで、ノズル４１、集合管４２及び排出管４３の内部がケーシング１０の内部に対して負圧となる。すると、フィルタ２０の一次側から二次側（バラスト水流出空間Ｓ１側）に濾過されたバラスト水の一部が再びフィルタ２０の二次側から一次側に流れ、フィルタ２０の内周面に付着した異物を剥離させてノズル４１から吸引される。ノズル４１を流通したバラスト水及び剥離された異物は、集合管４２及び排出管４３を通り、排出される。これにより、フィルタ２０が逆洗浄され、フィルタ２０の一次側に付着した異物が除去される。
尚、バラスト水の濾過処理を行う場合には、圧縮ガス供給部６０の圧縮ガス供給弁６２は、いずれも閉止される。
【００４４】
一方、バラスト水処理装置１の運転が終了した後や、その他フィルタ２０をより強力に洗浄したい場合には、ケーシング１０に収容されたバラスト水を排出し、その後、ケーシング１０の内部に水が存在しない状態でフィルタ２０に洗浄水を噴き付けて異物を除去する洗浄を行う。このような場合には、まず、導入ラインＬ１の開閉弁８２が閉状態とされ、ポンプ８１は停止される。また、逆洗機構４０の開閉弁が閉止される。そして、この状態で、圧縮ガス供給部６０の圧縮ガス供給弁６２が開状態とされる。これにより、ケーシング１０に収容されたバラスト水は速やかに排出される。
【００４５】
ここで、フィルタ２０を回転させてバラスト水の濾過を行っている状態では、導入部１４及び下部回転軸部材３２には、異物が含まれる濾過前の水が流通している。そのため、導入部１４から下部回転軸部材３２の内部に向かって流れる水に含まれる異物が、例えば、図２に示すＡ部分から、回転している下部回転軸部材３２と、この下部回転軸部材３２を支持するケーシング１０（下側蓋部１３）との接触部分に侵入してしまうと、侵入した異物によりシール部材（第１シール部材３６及び／又は第２シール部材３７）が摩耗する可能性がある。シール部材が摩耗してしまうと、フィルタ２０とケーシング１０との接触部分を通じてフィルタ２０にて濾過される前の水がフィルタ２０の二次側に流入してしまうため、バラスト水処理装置１において水の濾過を好適に行えなくなってしまう。
【００４６】
そこで、本実施形態では、ケーシング１０（下部回転軸部材３２）とフィルタ２０（下部回転軸部材３２）との接触部分に、フィルタ２０により濾過されたバラスト水を供給することで、フィルタ２０の一次側の水に含まれる異物が接触部分に侵入することを防いでいる。
【００４７】
より詳細には、本実施形態では、フィルタ２９を回転させてバラスト水の濾過を行っている状態において、ポンプ３９を駆動させてフィルタ２０により濾過されたバラスト水を、ラインＬ３を通じて下側蓋部１３と下部回転軸部材３２との接触部分に供給している。これにより、フィルタ２０でろ過された水を、ラインＬ３を通じて下側蓋部１３と下部回転軸部材３２との接触部分に供給できるので、この接触部分に供給される水の圧力により、フィルタ２０の一次側の水に含まれる異物が接触部分に侵入することを防げる。よって、下側蓋部１３と下部回転軸部材３２との接触部分を通じて異物がフィルタ２０の一次側から二次側に侵入するのを防げるので、バラスト水処理装置１の性能を向上させられる。
【００４８】
また、バラスト水処理装置１を、下側蓋部１３と下部回転軸部材３２との接触部分に形成される連続空間部３８を含んで構成し、ラインＬ３を連続空間部３８に連通させた。これにより、下側蓋部１３と下部回転軸部材３２との接触部分に、より安定的に水圧を加えられる。よって、水圧による異物の侵入防止効果をより向上させられる。
【００４９】
また、ポンプ３９を、接触部分に供給される水の圧力がフィルタ２０の一次側の水の圧力よりも高くなる出力で駆動させた。これにより、ラインＬ３を通じて接触部分に供給される水の圧力を、フィルタ２０の一次側における水圧よりも高くできるので、フィルタ２０の一次側から接触部分に水が侵入することを更に好適に防げる。
【００５０】
また、ポンプ３９を、エア駆動式ポンプにより構成した。これにより、ポンプ３９の駆動による発熱を低減できるので、ポンプ３９の発熱によるキャビテーションの発生を防げる。
【００５１】
また、バラスト水処理装置１を、接触部分に配置される第１シール部材３６を含んで構成し、ラインＬ３を、接触部分における第１シール部材３６が配置された領域よりも端部側（下端側）に連通させた。これにより、フィルタ２０でろ過された水を接触部分における第１シール部材３６が配置された領域よりもフィルタ２０の一次側の空間側に供給できる。よって、フィルタ２０の一次側の水が第１シール部材３６まで到達することを効果的に防げるので、第１シール部材３６を長寿命化できる。
【００５２】
また、シール部材として、第１シール部材３６及び第２シール部材３７を、ラインＬ３の接触部分への連通部（連続空間部３８）を挟んで両側にそれぞれ配置した。これにより、接触部分における第１シール部材３６及び第２シール部材３７に囲まれた領域に好適に水圧を付加できるので、水圧による異物の侵入防止効果を更に向上させられる。
【００５３】
また、第１シール部材３６を、円環状に形成されると共に半径方向の断面形状において一方の端面側が開口した中空部を有するＵ字形状に形成された本体部と、この中空部に配置され本体部を外側に広がる方向に付勢する弾性部材と、を含んで構成した。これにより、第１シール部材３６によるシール性を向上させられる。
【００５４】
また、第１シール部材３６を、本体部３６１の下端部３６１ｂと凹部との間に、わずかに隙間Ｇが形成されるように凹部に配置した（図３参照）。これにより、ラインＬ３から連続空間部３８を介して接触部分に供給された水を隙間Ｇから本体部３６１の中空部に流入させられる。よって、本体部３６１の中空部に流入した水の圧力によって本体部３６１をより外側に拡がりやすくできるので、第１シール部材３６によるシール性をより向上させられる。
【００５５】
以上、本発明のバラスト水処理装置の好ましい一実施形態について説明した。しかし、本発明は、上述した実施形態に限定されることなく、種々の形態で実施することができる。
例えば、本実施形態では、第１シール部材３６として本体部３６１及びこの本体部３６１の中空部に配置されたバネ部材３６２を備えるシール部材を用い、第２シール部材３７として円環状の内周面に全周に亘って連続的に形成された複数の山部３７１及び谷部３７２を有するシール部材を用いたが、これに限らない。即ち、第１シール部材及び第２シール部材を、両者とも本実施形態の第１シール部材と同様のシール部材により構成してもよく、両者とも本実施形態の第２シール部材と同様のシール部材により構成してもよい。また、第１シール部材又は第２シール部材としてＯリングを用いてもよく、グリースを用いてもよい。
【００５６】
また、本実施形態では、バラスト水処理装置１を、第１シール部材３６及び第２シール部材３７を含んで構成したが、これに限らない。即ち、バラスト水処理装置を、第１シール部材又は第２シール部材の一方のみを含んで構成してもよく、また、第１シール部材及び第２シール部材を含まずに構成してもよい。
【００５７】
また、本実施形態では、すべり軸受３５を介したケーシング１０と下部回転軸部材３２との接触部分の構造について説明したが、同様の構成を、すべり軸受３４を介したケーシング１０と上部回転軸部材３１との接触部分に適用してもよい。
【００５８】
また、本実施形態においては、フィルタ２０は、内部に流入したバラスト水を濾過して外部へ流出させる筒状のフィルタであるが、これに制限されない。即ち、フィルタは、外部から流入するバラスト水を濾過して内部から流出させる筒状のフィルタであってもよい。
【００５９】
また、本実施形態では、バラスト水処理装置１を、噴射ノズル５０及び洗浄水ラインＬ２を含んで構成したが、これに限らない。即ち、バラスト水処理装置を、噴射ノズル及び洗浄水ラインを含まずに構成してもよい。
【符号の説明】
【００６０】
１  バラスト水処理装置
１０  ケーシング
１１  本体部
１１１  流出口
１２  上側蓋部
１３  下側蓋部（支持軸部）
１４  導入部
１５  支持軸部材（支持軸部）
２０  フィルタ
２１  フィルタ本体
２２  上側閉止部
２３  下側閉止部
３０  フィルタ回転手段
３１  上部回転軸部材
３２  下部回転軸部材
３３  モータ
３４  すべり軸受
３５  すべり軸受
３６  第１シール部材（シール部材）
３６１  本体部
３６１ａ  側面
３６１ｂ  下端部
３６２  バネ部材（弾性部材）
３７  第２シール部材（シール部材）
３８  連続空間部
３９  ポンプ
４０  逆洗機構
４１  ノズル
４２  集合管
４３  排出管
４４  開閉弁
５０  噴射ノズル
６０  圧縮ガス供給部
６１  圧縮ガス供給ライン
６２  圧縮ガス供給弁
Ｌ３  ライン
Ｌ１  導入ライン
Ｌ２  洗浄水ライン
Ｇ  隙間
Ｓ  空間
【図１】
2018176048.tif 000003
【図２】
2018176048.tif 000004
【図３】
2018176048.tif 000005